(57)【特許請求の範囲】
【請求項１】
ターンテーブルが設けられた再生ユニットシャーシに設けられ、前後に延在した第一カム部と、
上記再生ユニットシャーシに設けられ、上記第一カム部の後端に連続しているとともに上記第一カム部の後端から更に後方に向けて下って傾斜した第二カム部とを備え、
ディスクが収納されたディスクカートリッジを保持するチャッキング機構と、上記チャッキング機構を前後に摺動自在に支持するキャリアベースと、上記キャリアベースを前後に摺動自在に支持するアッパーベースと、上記アッパーベースから上記第一カム部或いは第二カム部に向けて延出するとともに上記第一カム部及び上記第二カム部上を摺動可能な摺動子とを有する保持機構を更に備え、
上記摺動子が上記第一カム部及び第二カム部上を摺動することによって上記アッパーベースを移動させて、上記ディスクをターンテーブルとによりクランプするディスククランプ機構において、
上記摺動子を後方に向けて付勢する付勢手段と、
上記再生ユニットシャーシに対して前後動自在なスライダ部と、
上記スライダ部を前後動させる駆動手段と、を備え、
上記スライダ部には、上記付勢手段の付勢力に抗するように上記摺動子に当接可能な当接部と、上記当接部と対向した立上り部と、上記立上り部の上端部に形成され、上記スライダ部が後方に移動する場合に上記摺動子に当接して該摺動子を後方に押圧移動する押圧部とが設けられ、
上記摺動子が上記当接部と上記押圧部との間に上下動自在に挟まれ、
上記立上り部と上記当接部との間の距離が上記押圧部と上記当接部との間の距離より大きく設定されていることを特徴とするディスククランプ機構。
【発明の詳細な説明】
【０００１】
【発明の属する技術分野】
本発明は、ＭＤプレーヤ或いはＣＤプレーヤ等のディスク装置において、ディスクを所定の位置にクランプするディスククランプ機構に関する。
【０００２】
【従来の技術】
いわゆる一般的にＭＤと呼ばれるものは、記録媒体となるミニディスクをディスクカートリッジ内に回転自在に収納して構成されている。
ところで、ミニディスクの記録内容を読み込んだり、ミニディスクに記録したりするディスク装置は、ミニディスクを保持するためのターンテーブルと、当該ターンテーブルを回転駆動させる回転駆動機構と、ミニディスクの記録内容を読みとるためのピックアップ機構とを備えて構成されている。
【０００３】
そして、ディスク装置は、ミニディスクをクランプするためのディスククランプ機構を備えている。ディスククランプ機構は、ディスクカートリッジとともにミニディスクを下降させて上記ターンテーブルとによりミニディスクをクランプするものである。従来のディスククランプ機構について、図６〜図８を参照して説明する。図６及び図７に示すように、従来のディスククランプ機構１００は、再生ユニットシャーシ１０１に設けられている。この再生ユニットシャーシ１０１には、ターンテーブル１０７及びピックアップ機構（図示略）が設けられている。
【０００４】
ディスククランプ機構１００は、ディスクカートリッジをチャッキングすることによりミニディスクを保持するための保持体１０２と、保持体１０２の左右の端部から外側に向けて延出するロッド１０３，１０３，１０３，１０３と、保持体１０２の左方及び右方に配置されるカム部材１０４，１０４と、左側のカム部材１０４の更に左方に配置され再生ユニットシャーシ１０１に対して前後動自在なスライダ部材１０５と、スライダ部材１０５を前後動させる駆動機構１０６と、左前のロッド１０３とスライダ部材１０５との間に架設される引張バネ１０８と、を備えて構成されている。
【０００５】
カム部材１０４，１０４は互いに平行に前後に延在しており、再生ユニットシャーシ１０１に固定的に設けられている。そして、各カム部材１０４には、カム部１０９が二つ形成されている。各カム部１０９は、図８に示すように、前後に延在する第一カム面１１１と、第一カム面１１１に連続して形成されているとともに第一カム面１１１の後端から後方に向けて下って傾斜する第二カム面１１２と、第二カム面１１２の上方において第二カム面１１２と略平行な第三カム面１１３と、第二カム面１１２の後端と第三カム面１１３の後端に連続して形成されるとともにカム部１１０の後端となる第四カム面１１４と、から構成されている。
【０００６】
図６及び図７に示すように、各カム部１０９には、ロッド１０３が各カム部１０９に則して摺動自在に係合している。そして、右のロッド１０３、１０３は右のカム部材１０４より右方に向けて突出し、左のロッド１０３，１０３は左のカム部材１０４より左方に向けて突出している。
【０００７】
一方、スライダ部材１０５には、左前のロッド１０３のすぐ後方において上下に延在するプレート１１５が設けられている。更に、スライダ部材１０５には、左前のロッド１０３のすぐ前方において上下に延在するプレート１１６が設けられている。そして、プレート１１５とプレート１１６とにより溝１１７が形成され、この溝１１７に左前のロッド１０３が位置する。プレート１１５とプレート１１６の間隔（即ち、溝１１７の前後幅）は左前のロッド１０３の直径より大きくなっている。
【０００８】
従来のディスククランプ機構１００の動作を説明する。
まず、初期状態（ミニディスクがディスク装置に挿入された直後）では、保持体１０２にディスクカートリッジとともにミニディスクが保持されている状態であり、ロッド１０３がカム部１０９の第一カム面１１１に当接している状態である。この状態では、スライダ部材１０５が最前に位置しており、プレート１１５の前端部が左前のロッド１０３に当接した状態である。
【０００９】
この初期状態から、駆動機構１０６が作動し、駆動機構１０６がスライダ部材１０５を後方に移動させる。これにより、プレート１１５が左前のロッド１０３から離れるとともに、引張バネ１０８が伸びて、左前のロッド１０３が後方に付勢される。これにより、左前のロッド１０３が第一カム面１１１に当接しつつ、後方に移動する。
なお、引張バネ１０８の付勢力が弱い場合は、左前のロッド１０３が後方に移動しないが、スライダ部材１０５が更に後方に移動すると左前のロッド１０３とプレート１１６が当接して、プレート１１６が左前のロッド１０３を後方に押す。これにより、左前のロッド１０３が後方に移動し始めるが、その後は左前のロッド１０３は引張バネ１０８の付勢力によって或いはプレート１１６の後方への移動によって左前のロッド１０３が第一カム面１１１に則して後方に移動する。
【００１０】
更に、スライダ部材１０５が後方に移動すると、各ロッド１０３は第一カム面１１１から第二カム面１１２へと移動し、各ロッド１０３は第二カム面１１２に則して後方に移動する。これにより、保持体１０２が再生ユニットシャーシ１０１に対して下降する。更に、スライダ部材１０５が後方に移動すると、各ロッド１０３が第四カム面１１４に当接して、各ロッド１０３の後方への移動が規制されるとともに、引張バネ１０８が伸びて左前のロッド１０３を後方に付勢する。これにより、保持体１０２にクランプ力が作用して、保持体１０２とターンテーブル１０７とによりミニディスクがクランプされる。
【００１１】
以上がディスククランプ機構１００のクランプ動作であり、一方、クランプ解除動作は以下のようになる。即ち、ミニディスクがクランプされた状態から、駆動機構１０６が作動し、駆動機構１０６がスライダ部材１０５を前方に移動させる。これにより、プレート１１５が左前のロッド１０３に当接する。更に、スライダ部材１０５が前方に移動すると、引張バネ１０８の付勢力に抗してプレート１１５が左前のロッド１０３を前方へと押す。これにより、各ロッド１０３が、第二カム面１１２の傾斜に則して前方に摺動し、保持体１０２が再生ユニットシャーシ１０１に対して上昇する。これにより、ミニディスクに対するクランプが解除される。更に、スライダ部材１０５が前方に移動し、各ロッド１０３が第一カム面１１１に当接したら、駆動機構１０６の作動が停止し、クランプ解除動作が終了する。
【００１２】
【発明が解決しようとする課題】
ところで、従来のディスククランプ機構１００では、スライダ部材１０５が後方に移動することにより、引張バネ１０８が伸びて、この引張バネ１０８の付勢力により左前のロッド１０３を後方に摺動させていた。または、引張バネ１０８の付勢力が弱い場合は、プレート１１６が左前のロッド１０３を後方に押すことによって、左前のロッド１０３を後方に摺動させていた。即ち、引張バネ１０８により左前のロッド１０３が後方に押されるのか、プレート１１６により左前のロッド１０３が後方に押されるのか定まらず、保持体１０２が下降する動作が不安定となっていた。例えば、引張バネ１０８の付勢力を増して、左前のロッド１０３がプレート１１５から離れないようにしたものとしても、引張バネ１０８の付勢力が大きくなりすぎ、ミニディスクをクランプする力が大きくなりすぎてしまう。
【００１３】
更に、引張バネ１０８の付勢力により左前のロッド１０３を後方に引く場合、引張バネ１０８の付勢力により左前のロッド１０３が第二カム面１１２の傾斜に引き込まれるため、左前のロッド１０３が第一カム面１１１から第二カム面１１２へと落ち込んだ際に、この部分から比較的大きな音を発生してしまう。
【００１４】
以上の点を考慮して、本発明の目的は、比較的弱い付勢力でも保持体を移動させることができ、保持体が下降する際に音を発生させないことにある。
【００１５】
【課題を解決するための手段】
以上の課題を解決すべく、ターンテーブルが設けられた再生ユニットシャーシに設けられ、前後に延在した第一カム部（例えば、図４に示す第一カム面２１ａ）と、
上記再生ユニットシャーシに設けられ、上記第一カム部の後端に連続しているとともに上記第一カム部の後端から更に後方に向けて下って傾斜した第二カム部（例えば、図４に示す第二カム面２１ｂ）とを備え、
ディスクが収納されたディスクカートリッジを保持するチャッキング機構と、上記チャッキング機構を前後に摺動自在に支持するキャリアベースと、上記キャリアベースを前後に摺動自在に支持するアッパーベースと、上記アッパーベースから上記第一カム部或いは上記第二カム部に向けて延出するとともに上記第一カム部及び上記第二カム部上を摺動可能な摺動子（例えば、図２に示す前の左ロッド１５）とを有する保持機構を更に備え、
上記摺動子が上記第一カム部及び第二カム部上を摺動することによって上記アッパーベースを移動させて、上記ディスクをターンテーブルとによりクランプするディスククランプ機構において、
上記摺動子を後方に向けて付勢する付勢手段（例えば、図３に示す引張バネ３９）と、
上記再生ユニットシャーシに対して前後動自在なスライダ部（例えば、図３に示すスライダ部材３４）と、
上記スライダ部を前後動させる駆動手段（例えば、図１に示すローディングモータ３３及び伝達機構３２）と、を備え、
上記スライダ部には、上記付勢手段の付勢力に抗するように上記摺動子に当接可能な当接部（例えば、図４に示す後部プレート３５）と、上記当接部と対向した立上り部（例えば、図４に示す立上り部３８）と、上記立上り部の上端部に形成され、上記スライダ部が後方に移動する場合に上記摺動子に当接して該摺動子を後方に押圧移動する押圧部（例えば、図４に示す延出部３７）とが設けられ、
上記摺動子が上記当接部と上記押圧部との間に上下動自在に挟まれ、
上記立上り部と上記当接部との間の距離が上記押圧部と上記当接部との間の距離より大きく設定されていることを特徴としている。
【００１６】
以上のように、請求項１記載の発明によれば、駆動手段によりスライダ部が後方に移動すると、スライダ部とともに当接部及び押圧部が後方に移動する。そして、摺動子が当接部及び押圧部に当接しつつ、摺動子が当接部と押圧部との間に挟まれているため、スライダ部が後方に移動する場合に、摺動子は押圧部により後方に押されて第一カム部に則して後方に移動する。
【００１７】
このように、押圧部が摺動子を後方に押圧移動するため、付勢手段の付勢力を大きくせずとも、摺動子が後方に移動することができる。
【００１８】
更に、スライダ部が後方に移動すると、摺動子は第一カム部から第二カム部へと移る。ここで、摺動子が当接部と押圧部との間に上下動自在に挟まれているため、摺動子が傾斜した第二カム部へと落ち込む。
【００１９】
摺動子が第二カム部へと落ち込むとき、摺動子が当接部及び押圧部に当接しつつ挟まれているため、摺動子が勢いよく第二カム部に落ち込むことがなく、このため、その部分から音が発生しなくなる。
【００２０】
そして、摺動子が後方に第二カム部に落ち込んだ後に、更に、スライダ部が後方に移動すると、付勢手段が摺動子を後方に付勢することにより、摺動子が当接部に当接しつつ第二カム部に則して傾斜を下る。このため、保持機構が第二カム部に対して下降して、保持機構に保持されたディスクが所定の位置でクランプされる。
【００２１】
なお、上下方向は必ずしも鉛直方向を意味するわけでない。また、前後左右方向は、必ずしも水平方向を意味するわけでない。基本的に所定の位置にクランプされたディスクに平行となる方向が前後左右方向となり、このディスクに垂直になる方向が上下方向となる。
【００２３】
また、摺動子が第二カム部に落ち込んだ後に、更に、スライダ部が後方に移動すると、付勢手段が摺動子を後方に付勢することにより、摺動子が当接部に当接しつつ第二カム部に則して傾斜を下る。そして、ディスクが所定の位置に移動した際に、摺動子の移動が抑止される。このとき、摺動子が下降したため、摺動子と押圧部との当接も解除される。そして、スライダ部が更に後方に移動すると当接部と摺動子との当接が解除される。ここで、立上り部と当接部との間の距離が、押圧部と当接部との間の距離より大きく設定されているため、立上り部が摺動子に当接するまで、スライダ部が後方に移動することができる。即ち、保持機構が所定の位置まで移動して、ディスクがクランプされた状態でも、スライダ部が更に後方へ移動することができるため、駆動手段の駆動力によってスライダ部から駆動手段に対して反力が作用しなくなる。
【００２４】
【発明の実施の形態】
以下に、本発明に係るディスククランプ機構について、好適な実施の形態例を図面を用いて説明する。ただし、図面は発明が理解できる程度に概略的に示してあるにすぎず、発明の範囲を図示例に限定するものではない。
【００２５】
本実施の形態例では、ディスククランプ機構がディスクローディング機構に適用された場合について説明する。本実施の形態例の、ディスクローディング機構は、ミニディスクの記録内容を読みとりかつミニディスクに記録するＭＤプレーヤに設けられている。そして、本実施の形態例のディスクローディング機構は、ＭＤプレーヤ内にミニディスクとともにディスクカートリッジをローディングするものであり、かつ、ＭＤプレーヤ内のミニディスク及びカートリッジをイジェクトするものである。なお、ディスクローディング機構は、再生専用のＭＤプレーヤに設けられていても良い。
【００２６】
図１及び図２に示すように、ＭＤプレーヤは、ディスクカートリッジ６０に回転自在に収納されたミニディスク７０を保持するためのターンテーブル１と、ターンテーブル１を回転駆動するための駆動モータ（図示略）と、ミニディスク７０の記録内容を読みとるための光ピックアップ（図示略）と、該光ピックアップをターンテーブル１の回転半径方向に移動させるピックアップ移動機構（図示略）と、ターンテーブル１、上記駆動モータ及び上記ピックアップ移動機構を支持する再生ユニットシャーシ２と、エアダンパ３，３…を介して再生ユニットシャーシ２を浮動状態に支持するとともに再生ユニットシャーシ２の外側に設けられるアウターケース４と、ディスクローディング機構１０と、を備えて構成されている。ターンテーブル１の回転軸の方向は、再生ユニットシャーシ２の延在方向に対して垂直になっている。また、再生ユニットシャーシ２は、バネ５，５，…（図２には、二つ図示）によりアウターケース４に吊られている。なお、図１には、図面を簡略するためにアウターケース４が図示されていない。
【００２７】
本実施の形態例のディスクローディング機構１０は、ローディング動作及びイジェクト動作を行うものである。ローディング動作とは、ミニディスク７０とともにディスクカートリッジ６０をＭＤプレーヤ内に挿入し、挿入したミニディスク７０をターンテーブル１とによりクランプする動作である。イジェクト動作とは、クランプされたミニディスク７０のクランプを解除し、ディスクカートリッジ６０をＭＤプレーヤ内から排出する動作である。ディスクローディング機構１０について、図１〜図４を参照して詳細に説明する。
【００２８】
まず、図１〜図３に示すように、ディスクローディング機構１０は、ミニディスク７０を保持するための保持機構１１と、再生ユニットシャーシ２に一体となって設けられる右カム部材１２と、再生ユニットシャーシ２に一体となって設けられる左カム部材１３と、保持機構１１の右端部に設けられる右ロッド１４，１４と、保持機構１１の左端部に設けられる左ロッド１５，１５とを備えて構成されている。
【００２９】
保持機構１１は、ディスクカートリッジ６０を保持するチャッキング機構１７と、チャッキング機構１７を前後に摺動自在に支持するキャリアベース１８と、キャリアベース１８を前後に摺動自在に支持するアッパーベース１９とを備えて構成されている。
【００３０】
チャッキング機構１７は、上支持部１７ａと、下支持部１７ｂと、ねじりバネ１７ｃとを備えている。そして、チャッキング機構１７は、ねじりばね１７ｃの付勢力により下支持部１７ｂを上支持部１７ａに向けて付勢して、上支持部１７ａと下支持部１７ｂとでディスクカートリッジ６０を挟持する。これにより、ディスクカートリッジ６０とともにミニディスク７０が保持される。
【００３１】
キャリアベース１８は、プレート１８ｃを備えている。そして、上面部１８ａと、上面部１８ａの左右両端部から下方に向けて延出する縦面部１８ｂ，１８ｂとが一体となって、プレート１８ｃが構成されている。そして、プレート１８ｃの断面形状が略凹状となる。更に、キャリアベース１８は、それぞれの縦面部１８ｂから外側に向けて延出するロッド１８ｄ，１８ｄを備えて構成されている。そして、上面部１８ａには前後に長尺な貫通孔１８ｅが形成されており、チャッキング機構１７の上部に設けられるピン１７ｄ，１７ｄが前後に摺動自在に係合されている。これにより、チャッキング機構１７は、キャリアベース１８に対して前後に摺動自在となるとともに、上面部１８ａの下部に設けられる。
【００３２】
アッパーベース１９は、プレート１９ｃを備えている。そして、上面部１９ａと、上面部１９ａの左右両端部から下方に向けて延出する縦面部１９ｂ，１９ｂとが一体となって、プレート１９ｃが構成されている。そして、プレート１９ｃの断面形状が略凹状となる。縦面部１９ｂ，１９ｂには、左右に貫通する貫通孔１９ｄが設けられており、この貫通孔１９ｄは前後に長尺となる。そして、左側の貫通孔１９ｄには左側のロッド１８ｄが前後に摺動自在に挿通しており、右側の貫通孔１９ｄには右側のロッド１８ｄが前後に摺動自在に挿通している。これにより、アッパーベース１９は、キャリアベース１８上においてキャリアベース１８を前後動自在に支持する。
【００３３】
左側の縦面部１９ｂには、左に向けて延出する左ロッド１５，１５が固定的に設けられている。また、右側の縦面部１９ｂには、右に向けて延出する右ロッド１４，１４が固定的に設けられている。
【００３４】
一方、再生ユニットシャーシ２の上面には、右カム部材１２及び左カム部材１３が突出して設けられている。右カム部材１２及び左カム部材１３は互いに平行に前後に延在している。右カム部材１２には、上下に長尺な上下カム溝２０が形成されている。更に、右カム部材１２には、上下カム溝２０の前方及び後方においてカム部２１，２１が形成されている。同様に、左カム部材１３には、上下に長尺な上下カム溝２０が形成されている。更に、左カム部材１３には、上下カム溝２０の前方及び後方においてカム部２１，２１が形成されている。
【００３５】
各カム部２１は、図４（ａ）に示すように、前後に延在する第一カム面（第一カム部）２１ａと、第一カム面２１ａに連続して形成されているとともに第一カム面２１ａの後端から後方に向けて下って傾斜する第二カム面（第二カム部）２１ｂと、第二カム面２１ｂの上方において第二カム面２１ｂと略平行な第三カム面２１ｃと、第二カム面２１ｂの後端と第三カム面２１ｃの後端に連続して形成されるとともにカム部２１の後端となる第四カム面２１ｄと、から構成されている。
【００３６】
さて、図１及び図３に示すように、保持機構１１は、右カム部材１２と左カム部材１３との左右間に配置されている。即ち、右カム部材１２の上下カム溝２０に対して、キャリアベース１８の右側のロッド１８ｄが上下に摺動自在に係合している。同様に、左カム部材１３の上下カム溝２０に対して、キャリアベース１８の左側のロッド１８ｄが上下に摺動自在に係合している。これにより、キャリアベース１８は、再生ユニットシャーシ２（右カム部材１２及び左カム部材１３）に対して前後方向の移動が規制され、上下方向のみ移動自在となる。
【００３７】
また、図１〜図３及び図４（ａ）に示すように、右カム部材１２のカム部２１，２１のそれぞれに、右ロッド１４が摺動自在に当接している。即ち、右ロッド１４は、第一カム面２１ａ及び第二カム面２１ｂ上を摺動自在である。同様に、左カム部材１３のカム部２１，２１のそれぞれに、左ロッド１５が摺動自在に当接している。即ち、左ロッド１５は、第一カム面２１ａ及び第二カム面２１ｂ上を摺動自在である。そして、右ロッド１４は、右カム部材１２の右端から右側に向けて突出しており、左ロッド１５は、左カム部材１３の左端から左側に向けて突出している。
【００３８】
一方、アウターケース４の下面には、前後に延在するフローティング部材２２，２２（図２には一つのみ図示）が固定的に設けられている。そして、一方のフローティング部材２２は、後の右ロッド１４における右カム部材１２より右方に突出した部分の上方に配置されている。この一方のフローティング部材２２は、後の右ロッド１４に対して摺動自在に当接している。他方のフローティング部材２２は、後の左ロッド１５における左カム部材１３より左方に突出した部分の上方に配置されている。この他方のフローティング部材２２は、後の左ロッド１５に対して摺動自在に当接している。フローティング部材２２は、保持機構１１の上昇への移動を規制するものである。即ち、再生ユニットシャーシ２とアウターケース４との間にはバネ５，５…が掛けられているが、バネ５，５…は再生ユニットシャーシ２を上方へ引き上げる方向に付勢している。従い、再生ユニットシャーシ２に取り付けられた保持機構１１も上方へ引き上げるように付勢されるが、フローティング部材２２，２２が右ロッド１４や左ロッド１５の上方において配置されているため、保持機構１１の上昇への移動を規制する。
【００３９】
更に、本実施の形態例のディスクローディング機構１０は、ローディングアーム機構３０と、スライダ機構３１と、伝達機構３２と、ローディングモータ３３と、引張バネ（付勢手段）３９とを備えている。
【００４０】
ローディングモータ３３は、再生ユニットシャーシ２の後部において再生ユニットシャーシ２に対して固定的に設けられている。ローディングモータ３３の駆動出力軸が伝達機構３２に連結しており、ローディングモータ３３の駆動出力により伝達機構３２が作動する。伝達機構３２は、ギア機構やカム機構等が組み合わされて構成されている。伝達機構３２にローディングアーム機構３０及びスライダ機構３１が連結されている。そして、伝達機構３２は、ローディングモータ３３の一方の回転駆動によりローディングアーム機構３０及びスライダ機構３１を順に作動させ、ローディングモータ３３の逆方向の回転駆動によりスライダ機構３１及びローディングアーム機構３０を逆に作動させるものである。
【００４１】
ローディングアーム機構３０はローディングアーム３０ａを備えており、ローディングアーム３０ａの先端部がチャッキング機構１７の後部に連結している。ローディングモータ３３が伝達機構３２を介してローディングアーム機構３０を駆動すると、ローディングアーム機構３０が作動する。ローディングアーム機構３０が作動すると、ローディングアーム３０ａが前後に回転して、チャッキング機構１７をキャリアベース１８に対して前後に移動させる。
【００４２】
スライダ機構３１はスライダ部材３４を備えている。スライダ部材３４は、左カム部材１３の左方に配置されており、再生ユニットシャーシ２に対して前後に摺動自在となっている。ローディングモータ３３が伝達機構３２を介してスライダ機構３１を駆動すると、スライダ機構３１が作動する。スライダ機構３１が作動すると、スライダ部材３４が前後に移動する。なお、ローディングモータ３３及び伝達機構３２がスライダ部材３４を前後動させる駆動手段を構成している。
【００４３】
図３及び図４（ｂ）に示すように、スライダ部材３４の前部には、上下に延在する後部プレート（当接部）３５が設けられている。後部プレート３５は、その下部においてスライダ部材３４と一体となっている。そして、後部プレート３５の前端部は、側面視して、少なくとも第一カム面２１ａに対応する高さから第二カム面の後端に対応する高さまで上下に略一直線となっている。この後部プレート３５は、スライダ部材３４とともに前後動する。
【００４４】
更に、スライダ部材３４の前部には、上下に延在する前部プレート３６が形成されている。前部プレート３６は、所定の間隔をあけて後部プレート３５の前方に設けられており、スライダ部材３４と一体となっている。後部プレート３５は、後部プレート３５と対向して形成される立上り部３８と、立上り部３８の上部に設けられる延出部（押圧部）３７とからなる。延出部３７は、立上り部３８より後方に向けて延出する。また、側面視して、延出部３７は、第一カム面２１ａに対応する高さで後方に向けて延出している。
【００４５】
そして、前の左ロッド１５の後方に後部プレート３５が配置されているとともに、前の左ロッド１５の前方に前部プレート３６が配置されている。
【００４６】
また、後部プレート３５の前端部と延出部３７の後端部との前後間隔は、前の左ロッド１５の直径（前の左ロッド１５の前後長）とほぼ同じになっている。そして、前の左ロッド１５が第一カム面２１ａに当接している場合、前の左ロッド１５は、後部プレート３５及び延出部３７に当接している。更に、前の左ロッド１５が第一カム面２１ａに当接している場合、前の左ロッド１５は、後部プレート３５と延出部３７との間に上下動自在に挟まれている。
【００４７】
そして、後部プレート３５と立上り部３８との前後間隔は、前の左ロッド１５の直径より大きくなっている。即ち、後部プレート３５と立上り部３８との距離は、後部プレート３５と延出部３７との距離より大きく設定されている。
【００４８】
一方、スライダ部材３４の後部にはバネ掛部３４ａが形成されており、バネ掛部３４ａは前の左ロッド１５より後方に位置している。そして、引張バネ３９の一方の端部がバネ掛部３４ａに掛けられており、引張バネ３９の他方の端部が前の左ロッド１５に掛けられている。引張バネ３９によって前の左ロッド１５が後方に付勢されるが、前の左ロッド１５が後部プレート３５に当接して、後部プレート３５が引張バネ３９の付勢力に抗する。
【００４９】
以上のように、構成されるディスクローディング機構１０の動作について説明する。まず、ディスクローディング機構１０のローディング動作について説明する。
【００５０】
ミニディスク７０とともにディスクカートリッジ６０がイジェクトされた状態では、チャッキング機構１７はキャリアベース１８に対して最前に位置しており、アッパーベース１９はキャリアベース１８に対して最前に位置している。図５（ａ）に示すように、更に、右ロッド１４，１４及び左ロッド１５，１５のそれぞれは、第一カム面２１ａに当接した状態であり、第一カム面２１ａの前部に位置する。また、前の左ロッド１５は、後部プレート３５と延出部３７とに挟まれた状態となっている。
【００５１】
この状態で、ＭＤプレーヤの挿入口からミニディスク７０ともにディスクカートリッジ６０が挿入されると、チャッキング機構１７がディスクカートリッジ６０をチャッキングし、ターンテーブル１の回転軸に対してミニディスク７０が垂直となるようにミニディスク７０が保持される。次いで、ローディングモータ３３が正転することにより、伝達機構３２がローディングアーム機構３０を作動させ、ローディングアーム機構３０がチャッキング機構１７を後方に向けて引く。これにより、チャッキング機構１７は、キャリアベース１８に対して後方に移動する。
【００５２】
引き続きローディングモータ３３が正転すると、ローディングアーム機構３０の作動が停止し、次いで、伝達機構３２がスライダ機構３１を作動させ、スライダ機構３１のスライダ部材３４が後方に移動する。スライダ部材３４の後方への移動に伴い、後部プレート３５及び前部プレート３６も後方へ移動する。そして、前部プレート３６が後方に移動することにより、延出部３７が前の左ロッド１５を後方へと押し、右ロッド１４，１４及び左ロッド１５，１５は第一カム面２１ａに当接しつつ後方へ移動する。右ロッド１４，１４及び左ロッド１５，１５の後方への移動とともに、アッパーベース１９も再生ユニットシャーシ２に対して後方へ移動する。
【００５３】
引き続きスライダ部材３４とともに後部プレート３５及び前部プレート３６が後方に移動すると、右ロッド１４，１４及び左ロッド１５，１５が第一カム面２１ａの後端に達する。そして、前の左ロッド１５が延出部３７により後方に押されることにより、右ロッド１４，１４及び左ロッド１５，１５が第一カム面２１ａから第二カム面２１ｂへと落ち込む。
【００５４】
更にスライダ部材３４が後方に移動すると、右ロッド１４，１４及び左ロッド１５，１５が第二カム面２１ｂに則しつつ後方に移動する。この際に、前の左ロッド１５と延出部３７の下方に位置して、延出部３７及び後部プレート３５と前の前の左ロッド１５との当接が解除されるが、スライダ部材３４の後方への移動に伴い引張バネ３９が伸びて、引張バネ３９が前の左ロッド１５を後方に付勢することにより、右ロッド１４，１４及び左ロッド１５，１５が第二カム面２１ｂ（及び第三カム面２１ｃ）に則して後方へ移動する。このとき、引張バネ３９の付勢力に抗するように、後部プレート３５が前の左ロッド１５に当接している。
【００５５】
右ロッド１４，１４及び左ロッド１５，１５が第二カム面２１ｂに則して移動することにより、キャリアベース１８とともにアッパーベース１９及びチャッキング機構１７が再生ユニットシャーシ２に対して下降する。これにより、再生ユニットシャーシ２がバネ５，５，…によりアウターケース４に対して引き上げられる（後の右ロッド１４及び後の左ロッド１５がフローティング部材２２に当接した状態であるため、キャリアベース１８、アッパーベース１９及びチャッキング機構１７はアウターケース４に対して上昇はしない。）。
【００５６】
更にスライダ部材３４とともに後部プレート３５及び前部プレート３６が後方に移動すると、右ロッド１４，１４及び左ロッド１５，１５は第二カム面２１ｂの後端部に達する。そして、右ロッド１４，１４及び左ロッド１５，１５は、第四カム面２１ｄに当接して、後方への移動が規制される。更にスライダ部材３４とともに後部プレート３５及び前部プレート３６が後方に移動すると、引張バネ３９が伸びるとともに、後部プレート３５と前の左ロッド１５の当接が解除される。これにより、引張バネ３９により前の左ロッド１５が後方に付勢されて、ターンテーブル１にクランプされたミニディスク７０に対してクランプ力が作用する。そして、図５（ｂ）に示すように、後部プレート３５が前の左ロッド１５に当接する前に、ローディングモータ３３の駆動が停止し、ローディング動作が終了する。
【００５７】
一方、イジェクト動作は以下のようになる。即ち、ローディングモータ３３が逆転することにより、伝達機構３２がスライダ機構３１を作動させ、スライダ部材３４が引張バネ３９の付勢力に抗して前方に移動する。この際に、後部プレート３５が前の左ロッド１５を前方に向けて押し、後部プレート３５が前の左ロッド１５を第二カム面２１ｂに則して前方に摺動させる。これにより、キャリアベース１８とともにアッパーベース１９及びチャッキング機構１７が再生ユニットシャーシ２に対して上昇し、再生ユニットシャーシ２がバネ５，５，…の付勢力に抗してアウターケース４に対して下降する。この際、ミニディスク７０のクランプも解除される。
【００５８】
更に、スライダ部材３４及び後部プレート３５が前方に移動し、右ロッド１４，１４及び左ロッド１５，１５が第一カム面２１ａに達して、スライダ機構３１の作動は停止する。引き続きローディングモータ３３が逆転し、伝達機構３２がローディングアーム機構３０を作動させ、ローディングアーム機構３０がチャッキング機構１７を前方に向けて押し出す。そして、チャッキング機構１７によるディスクカートリッジ６０のチャッキングが解除され、ＭＤプレーヤの挿入口からディスクカートリッジ６０とともにミニディスク７０が排出される。
【００５９】
以上の実施の形態例によれば、延出部３７が第一カム面２１ａに対応する高さに配置されているため、ローディング動作の開始時には前の左ロッド１５が延出部３７及び後部プレート３５に挟まれた状態となる。そして、ローディングモータ３３の駆動によりスライダ部材３４が後方に移動する際には、前の左ロッド１５が延出部３７に押されるようにして後方に移動する。したがって、引張バネ３９の後方への付勢力が弱い場合でも、前の左ロッド１５が後方に移動しだす。したがって、保持機構１１のアッパーベース１９が確実に安定して後方に移動する。即ち、ディスクローディング機構１０の動作が安定する。
【００６０】
また、ローディング動作の際に、右ロッド１４，１４及び左ロッド１５，１５が第一カム面２１ａから第二カム面２１ｂにうつる際に、右ロッド１４，１４及び左ロッド１５，１５が第二カム面２１ｂへと落ち込む。その際に、前の左ロッド１５が延出部３７と後部プレート３５とに挟まれた状態で後方に移動しているため、引張バネ３９が比較的大きな付勢力であっても前の左ロッド１５が第二カム面２１ｂに勢いよく落ち込まなくなる。したがって、本実施の形態例では、右ロッド１４，１４及び左ロッド１５，１５が第二カム面２１ｂに落ち込む際の音を抑えられる。
【００６１】
更に、ローディング動作の際に、前の左ロッド１５が第四カム面２１ｄに当接した場合に前の左ロッド１５が後方への移動を規制される。そして、前の左ロッド１５が前部プレート３６の立上り部３８と後部プレート３５との間に位置しているが、前部プレート３６の立上り部３８と後部プレート３５との前後間隔が前の左ロッド１５の直径より大きいため、スライダ部材３４自体が後方に移動することができる。従って、引張バネ３９が伸びて、引張バネ３９の付勢力によりミニディスク７０に対して妥当なクランプ力が作用する。更に、ローディングモータ３３が駆動してもスライダ部材３４が後方に移動することができるため、スライダ部材３４の動きが規制されることによってスライダ部材３４からローディングモータ３３に対して反力が作用しない。従い、ローディングモータ３３の脱調が防止される。
【００６２】
なお、本発明は、上記実施の形態例で説明したものに限らず、種々の変形実施が可能である。
例えば、ディスクローディング機構１０は、車載用のＭＤプレーヤに設けられても良いし、ポータブル用ＭＤプレーヤに設けられても良いし、或いは、オーディオシステムのＭＤプレーヤに設けられても良い。
【００６３】
また、保持機構１１を後方に付勢する付勢手段は引張バネ３９に限らず、圧縮バネ、ねじりバネ或いはゴム弾性部材等の弾性部材であっても良い。圧縮バネ等の圧縮する方向に付勢する弾性部材の場合、バネ掛部３４ａはスライダ部材３４において前の左ロッド１５より前に配設される。
【００６４】
また、引張バネ３９は前の左ロッド１５に連結しているが、後の左ロッド１５や右ロッド１４，１４に連結していても良い。
【００６５】
また、ディスクローディング機構１０は、カートリッジ式のＣＤプレーヤに設けられても良いし、カートリッジ式のＤＶＤプレーヤに設けても良い。また、カートリッジ式でないＣＤプレーヤ或いはＤＶＤプレーヤに設けても良いが、この場合に保持機構１１はＣＤやＤＶＤ等のディスクをターンテーブルとによりクランプするためのクランパとなる。
【００６６】
【発明の効果】
以上のように、請求項１記載の発明によれば、付勢手段の後方への付勢力が比較的弱いために摺動子が後方に移動しない場合でも、当接部と押圧部との間に摺動子が挟まれているため、摺動子が押圧部によって後方に押される。したがって、摺動子が確実に安定して第一カム部に則して後方に移動することができ、クランプ機構の動作が安定する。
【００６７】
また、摺動子が第二カム部へと落ち込むとき、摺動子が当接部及び押圧部に挟まれているため、摺動子が勢いよく第二カム部に落ち込むことがなく、このため、その部分から音が発生しなくなる。
【００６８】
また、当接部と立上り部との距離が、当接部と押圧部との距離より大きいため、ディスクがクランプされて摺動子の動きが規制されても、立上り部が摺動子に当接するまで、スライダ部が後方に移動することができる。即ち、ディスクがクランプされた状態でも、スライダ部が更に後方へ移動することができる。従い、駆動手段の駆動力によってスライダ部から駆動手段に対して反力が作用しない。
【図面の簡単な説明】
【図１】本発明に係るディスククランプ機構を適用したディスクローディング機構を示す平面図である。
【図２】上記ディスクローディング機構を示す側面図である。
【図３】上記ディスクローディング機構を分解して示す分解斜視図である。
【図４】上記ディスクローディング機構におけるカム部及びスライダ部材を主に示す側面図である。
【図５】上記ディスクローディング機構の動作を説明するための側面図である。
【図６】従来のクランプ機構を示す平面図である。
【図７】上記従来のクランプ機構を示す側面図である。
【図８】上記従来のクランプ機構におけるカム部を主に示す側面図である。
【符号の説明】
１０      ディスクローディング機構（ディスククランプ機構）
１１      保持機構（保持体）
１２      右カム部材
１３      左カム部材
１４      右ロッド
１５      左ロッド（摺動子）
２１      カム部
２１ａ      第一カム面（第一カム部）
２１ｂ      第二カム面（第二カム部）
３２      伝達機構（駆動手段を構成する。）
３３      ローディングモータ（駆動手段を構成する。）
３４      スライダ部材（スライダ部）
３５      後部プレート（当接部）
３６      前部プレート
３７      延出部（押圧部）
３８      立上り部
３９      引張バネ（付勢手段）
６０      ディスクカートリッジ
７０      ミニディスク
【図１】
0003731463.tif 000002
【図２】
0003731463.tif 000003
【図３】
0003731463.tif 000004
【図４】
0003731463.tif 000005
【図５】
0003731463.tif 000006
【図６】
0003731463.tif 000007
【図７】
0003731463.tif 000008
【図８】
0003731463.tif 000009